(57)【特許請求の範囲】
【請求項１】
光源からの光を変調して投写する光学ユニットと、前記光学ユニットに配された冷却部材に冷却液を循環させる冷却ユニットと、各部を電気的に駆動制御する電気回路ユニットと、を備えており、
前記冷却ユニットは、少なくとも前記冷却液の熱を除去するラジエータと前記冷却液を循環させるポンプとを備えており、
前記冷却ユニット、前記光学ユニットおよび前記電気回路ユニットは、水平方向に分離した領域に間仕切りを介してそれぞれ配置されている、
ことを特徴とする投写型映像表示装置。
【請求項２】
請求項１に記載の投写型映像表示装置において、
前記冷却ユニットから漏れた前記冷却液を受ける液受けをさらに有する、
ことを特徴とする投写型映像表示装置。
【請求項３】
請求項１または２に記載の投写型映像表示装置において、
前記冷却液が少なくとも前記光学ユニットと前記電気回路ユニットの上部を横切らないように、前記冷却ユニットと前記冷却部材の間の配管がなされている、
ことを特徴とする投写型映像表示装置。
【請求項４】
請求項１乃至３の何れか一項に記載の投写型映像表示装置において、
前記冷却ユニットと前記冷却部材の間の配管の設置位置と前記電気回路ユニットからの配線の設置位置が互いに分離されている、
ことを特徴とする投写型映像表示装置。
【請求項５】
請求項１乃至４の何れか一項に記載の投写型映像表示装置おいて、
前記冷却液の漏洩を検出する漏洩検出部をさらに有する、
ことを特徴とする投写型映像表示装置。
【発明の詳細な説明】
【技術分野】
【０００１】
本発明は、投写型映像表示装置に関し、特に、冷却液を用いて光源等を冷却する際に用いて好適なものである。
【背景技術】
【０００２】
投写型映像表示装置（以下、「プロジェクタ」という）では、光源等にて発生する熱を効率的に除去する必要がある。従来、この放熱は、主として、ファンモータ等を用いた空冷によって行われていた。その一方で、近年の高輝度化の要請から、光源の多灯化が進められ、より一層の冷却効率が求められている。特に、光源として半導体レーザ等の固体光源を用いる場合には、ランプに比べて熱の総発生量が大きく、また、温度変化に対する出力変動が起こり易いため、さらなる冷却効率の向上と厳格な温度管理が要求される。
【０００３】
これに対し、以下の特許文献１には、冷却液を用いて半導体レーザを冷却する発明が記載されている。この発明によれば、空冷に比べて冷却効率が向上するため、半導体レーザに対する放熱ないし温度管理を、円滑かつ効率的に行うことができる。また、空冷に比べてファンモータの数を削減できるため、プロジェクタの静音化を図ることができる。
【０００４】
この他、以下の特許文献２には、冷却液を用いて液晶パネルを冷却する発明が記載されている。
【特許文献１】特開２００５−２６５７５号公報
【特許文献２】特開２００５−１６４９０８号公報
【発明の開示】
【発明が解決しようとする課題】
【０００５】
このように冷却液を用いて冷却を行う場合には、冷却液の漏洩に対する安全性の配慮が必要となる。以下の特許文献１、２には、冷却液の漏洩に対する対策が示されていない。
【０００６】
本発明の解決課題は、冷却効率の向上と、冷却液の漏洩に対する安全性の確保とを両立させることにある。
【課題を解決するための手段】
【０００７】
本発明に係る投写型映像表示装置は、光源からの光を変調して投写する光学ユニットと、前記光学ユニットに配された冷却部材に冷却液を循環させる冷却ユニットと、各部を電気的に駆動制御する電気回路ユニットとを備え、前記冷却ユニットは、少なくとも前記光学ユニットおよび前記電気回路ユニットに対して空間的に区切られた領域に配置されていることを特徴とする。
【０００８】
本発明によれば、冷却ユニットが、光学ユニットおよび電気回路ユニットに対し空間的に区切られた領域に配置されているため、冷却ユニットから冷却液が飛散しても、飛散した冷却液が光学ユニットや電気回路ユニットに到達することはなく、飛散した冷却液によって光学ユニットや電気回路ユニットに安全性における問題（電気ショート等）が発生することもない。
【０００９】
ここで、冷却ユニットと、光学ユニットおよび電気回路ユニットを、水平方向に分離した領域に間仕切りを介して配置すると、冷却ユニットから飛散した冷却液は、光学ユニットおよび電気回路ユニットに到達する前に、間仕切りによってブロックされ、また、冷却ユニットから冷却液が漏れ出した場合にも、光学ユニットおよび電気回路ユニットに対する冷却液の流れ込みが間仕切りによって抑止される。
【００１０】
また、冷却ユニットと、光学ユニットおよび電気回路ユニットを、それぞれ、鉛直方向に分離した領域に間仕切りを介して配置すると、冷却ユニットから飛散した冷却液は、光学ユニットおよび電気回路ユニットに到達する前に、間仕切りによってブロックされる。
【００１１】
この場合、冷却ユニットは、鉛直方向に分離した領域のうち光学ユニットおよび電気回路ユニットよりも下段の領域に配置するのが望ましい。こうすると、光学ユニットと電気回路ユニットは冷却ユニットよりも上側にあるため、冷却ユニットから冷却液が漏れ出したとしても、漏れ出した冷却液が光学ユニットや電気回路ユニットに流れ込むことはない。
【００１２】
さらに、電気回路ユニットを、光学ユニットよりも冷却ユニットから鉛直方向に離れた位置に配置するようにすれば、飛散しまたは漏れ出した冷却液が電気回路ユニットに到達するのを、より徹底して、抑止することができる。
【００１３】
また、冷却ユニットから漏れ出た冷却液を受ける液受けをさらに配すると、漏れ出した冷却液が光学ユニットや電気回路ユニットあるいは電気配線に到達するのを、より完全に抑止することができる。
【００１４】
また、冷却液が少なくとも光学ユニットと電気回路ユニットの上部を横切らないように、冷却ユニットと冷却部材の間で配管を行うと、配管に損傷等が生じても、配管から漏れ出した冷却液が光学ユニットと電気回路ユニットに流れ込むのを抑止することができる。
【００１５】
また、冷却ユニットと冷却部材の間の配管の設置位置と電気回路ユニットからの配線の設置位置を互いに分離させておけば、配管に損傷等が生じても、配管から漏れ出した冷却液が配線に到達するのを抑止することができる。
【００１６】
この他、冷却液の漏洩を検出する漏洩検出部をさらに配するのが望ましい。こうすると、冷却液の漏洩の検出に応じて、電源を自動的にＯＦＦする等の措置を講じることができ、投写型映像表示装置の安全性を高めることができる。
【発明の効果】
【００１７】
以上のとおり、本発明によれば、冷却液を用いることによる冷却効率の向上と、冷却液の漏洩に対する安全性の確保とを両立させることができる。
【００１８】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００１９】
以下、本発明の実施の形態につき図面を参照して説明する。
【００２０】
図１および図２に、実施の形態に係るプロジェクタの構成を示す。図１は、プロジェクタの要部上面図、図２は、プロジェクタを左側面側から見たときの要部透視図である。
【００２１】
まず、図１を参照して、１０は、光学ユニット２０、電気回路ユニット４０および冷却ユニット５０を収容するキャビネットである。キャビネット１０は、上面が開放された有底の箱形状となっており、一体的に形成された壁（間仕切り）によって、上面側の空間が３つの領域Ｒ１、Ｒ２、Ｒ３に分割されている。これら領域Ｒ１、Ｒ２、Ｒ３に、それぞれ、光学ユニット２０、電気回路ユニット４０および冷却ユニット５０が収容される。
【００２２】
光学ユニット２０は、光源部２１、２４、２７と、光学系２２、２５、２８と、液晶パネル２３、２６、２９と、ダイクロイックプリズム３０と投写レンズ３１を備えている。光源部２１、２４、２７は、発光源として半導体レーザを備え、それぞれ、緑色波長帯、赤色波長帯および青色波長帯のレーザ光を出射する。ここで、光源部２１、２４、２７には、半導体レーザを冷却するための冷却構造（後述）が配されており、この冷却構造に、冷却ユニット５０からの冷却液が循環している。同図中、破線は、冷却液の流路を模式的に示すものである。
【００２３】
光源部２１、２４、２７から出力されたレーザ光は、それぞれ、光学系２２、２５、２８を介して液晶パネル２３、２６、２９に照射される。これらレーザ光は、液晶パネル２３、２６、２９を透過する際に光変調され、その後、ダイクロイックプリズム３０によって色合成される。色合成されたレーザ光は、投写レンズ３１によって、被投写面（スクリーン等）に投写される。
【００２４】
領域Ｒ１の側面には、吸気用のスリット１１が形成され、また、領域Ｒ１に対して空気を吸排気するためのファン１２が配されている。光学ユニット１０は、この吸排気による気流によって除熱される。さらに、光源部２１、２４、２７は、上記の如く冷却液が冷却構造（後述）を循環することによって除熱される。
【００２５】
電気回路ユニット４０は、制御回路を保持する回路基板４２と、光源部２１、２４、２７を駆動するための光源駆動回路４３と、領域Ｒ２内に気流を起こすためのシロッコファン４１を備えている。領域Ｒ２の側面には、排気用のスリット１３が形成され、また、底面には、シロッコファン４１の装着位置に、吸気用のスリット１４が形成されている。電源回路ユニット４０は、シロッコファン４１によって生じる気流によって除熱される。
【００２６】
冷却ユニット５０は、ラジエータ５１と、ポンプ５２とを備えている。ラジエータ５１の流入口とポンプ５２の流出口は配管５３によって連結されている。また、ラジエータ５１の流出口と光源部２１、２４、２７の冷却構造の流入口は配管５３によって連結されている。さらに、ポンプ５２の流入口と光源部２１、２４、２７の冷却構造の流出口は配管５３によって連結されている。したがって、ポンプ５２が駆動されると、ラジエータ５１、ポンプ５２、光源部２１、２４、２７の各冷却構造の間を、冷却液が循環する。
【００２７】
領域Ｒ３の側面のうちラジエータ５１に対向する側面にファン１５が装着されている。また、領域Ｒ３の他の側面には、ファン１５によって吸気された空気を排気するためのスリット１６が形成されている。ポンプ５２の駆動時には、ファン１５が駆動され、外気がラジエータ５１に吹き付けられる。光源部２１、２４、２７を通過する際に冷却液に移行した熱は、ラジエータ５１を通過する際に、ファン１５による気流によって除去される。
【００２８】
次に、図２を参照して、キャビネット１０の底面側には、側面によって四方を囲まれた領域Ｒ４が配され、この領域Ｒ４に、配管５３が収容されている。具体的には、ラジエータ５１の流出口に連結された配管５３は、領域Ｒ３の底面を貫通する孔を介して領域Ｒ４へと導かれ、継ぎ手５３ａによって分岐された後、光源部２１、２４、２７の近傍位置へと延伸される。そして、分岐されたそれぞれの配管５３は、光源部２１、２４、２７の近傍位置に形成された孔を介して領域Ｒ１へと導かれ、光源部２１、２４、２７の各冷却構造の流入口に連結される。
【００２９】
また、これら冷却構造の流出口に連結されたそれぞれの配管は、光源部２１、２４、２７の近傍位置に形成された孔を介して領域Ｒ４へと導かれ、継ぎ手５３ａによって統合される。統合された配管は、ポンプ５２の近傍に配された孔を介して領域Ｒ３へと導かれ、ポンプ５２の流入口に連結される。
【００３０】
図２に示す如く、領域Ｒ４は、底面側から閉じ板６２をキャビネット１０に装着することにより閉塞される。また、領域Ｒ１、Ｒ２、Ｒ３上には板体６１が装着され、この板体６１の上に、電気回路ユニット４０からの配線が置かれる。すなわち、光源駆動回路４３からの配線は、板体６１の上面を通って光源部２１、２４、２７の近傍に延伸され、板体６１に形成された孔を介して、上側から、光源部２１、２４、２７に接続される。また、液晶パネル２３、２６、２９、ファン１２、１５およびポンプ５２に対する配線も、回路基板４２から板体１６の上面を通り、さらに、板体１６に形成された孔を介して、上側から、対応する装置ないし基材に接続される。
【００３１】
なお、領域Ｒ３には、冷却ユニット５０から漏れ出した冷却液を受ける液受け５４が配されている。
【００３２】
図３は、光源部２１、２４、２７に配される一つの発光構造体１００（レーザ発光のための構造とその冷却構造からなるもの）の構成例を示す図である。なお、ここでは、半導体レーザおよびレーザ素子に駆動電流を印加するための構成は、図示省略されている。
【００３３】
同図（ａ）の構成例では、冷却部材１０３の上面に、８個の半導体レーザ１０１を保持する保持部材１０２を装着することにより発光構造体１００が構成されている。冷却部材１０３には、配管５３を連結するためのノズル１０４、１０５が形成されており、これらノズル１０４、１０５を介して冷却部材１０３に冷却液が流入および流出される。冷却部材１０３には、所定のパターンにて流路が形成されている。また、冷却部材１０３と保持部材１０２は、熱伝導特性の高い材料から構成されている。
【００３４】
なお、同図（ｂ）に示す如く、冷却部材１０３の上面に、８個のレーザ素子１０１を、直接、半導体製造技術により形成することにより、発光構造体１００を構成することもできる。この場合、同図（ａ）に比べ、発光構造体１００の小型化および高集積化を図ることができる。また、冷却部材１０３上に直接レーザ素子１０１が形成されているため、レーザ素子１０１に対する冷却効率が高められる。
【００３５】
なお、一つの発光構造体１００に含まれる半導体レーザ１０１およびレーザ素子１１０の個数は、図３に示す個数（８個）に限られるものではなく、適宜、これ以外の個数とすることもできる。また、本実施の形態では、発光素子として半導体レーザを用いたが、他の個体発光素子（レーザダイオード等）を発光素子として用いることもできる。この場合、図３に示す半導体レーザ１０１およびレーザ素子１１０が、レーザダイオード等に置き換えられる。
【００３６】
光源部２１、２４、２７には、それぞれ、同図に示すような発光構造体１００が一つまたは複数配される。複数の発光構造体１００が配される場合には、それに応じて、配管５３が分岐され、各発光構造体１００に冷却液が導かれる。
【００３７】
なお、図１に示す構成において、スリット１１の近傍または液晶パネル２３、２６、２９の近傍に、図４に示す冷却部材２００をさらに配しても良い。この冷却部材２００には、配管５３を連結するためのノズル２０２、２０３が形成され、ノズル２０２、２０３間を繋ぐようにして所定のパターンにて流路が形成されている。また、冷却部材２００の上部には、フィン２０１が形成され、このフィン２０１を通ることにより、空気が冷却される。
【００３８】
この冷却部材２００をスリット１１の近傍または液晶パネル２３、２６、２９の気流上流部に配すると、冷却された空気が光学ユニット２０全体または液晶パネル２３、２６、２９に導かれる。よって、光学ユニット２０または液晶パネル２３、２６、２９の除熱を、より効率的に行うことができる。この場合、配管５３がさらに分岐され、分岐された配管によって冷却部材２００に冷却液が導かれる。この他、図４に示す冷却部材２００は、電気回路ユニット４０中、発熱の大きい回路系の近傍に配するようにしても良い。
【００３９】
図５は、発光構造体１００と冷却構造体５０および配管５３の構成を模式的に示す図である。
【００４０】
図示の如く、配管５３には、複数箇所に、冷却液の流圧を検出するための圧力センサ５５ａ〜５５ｆが配されている。また、ラジエータ５１の冷却水タンク５１ａには、冷却水タンク５１ａ内に存在する冷却液の液面レベルを検出するレベルセンサ５６が配されている。
【００４１】
圧力センサ５５ａ〜５５ｆとレベルセンサ５６は、冷却液の漏洩を検出するために用いられる。たとえば、圧力センサ５５ａの圧力が正常で、それより下流の圧力センサ５５ｂ〜５５ｆの圧力が異常であれば、圧力センサ５５ａよりも下流において冷却液の漏洩が生じたと判定される。同様に、圧力センサ５５ｂの圧力が正常で、それより下流の圧力センサ５５ｃ〜５５ｆの圧力が異常であれば、圧力センサ５５ｂよりも下流において冷却液の漏洩が生じたと判定される。このように、各圧力センサにおける圧力の異常を検出することにより、冷却液の漏洩箇所が判定される。
【００４２】
また、レベルセンサ５６によって検出される液面レベルの変化速度が閾値以上となった場合に、何れかの箇所において、冷却液の漏洩が発生したと判定される。
【００４３】
図６は、本実施の形態に係るプロジェクタの機能ブロック図である。
【００４４】
圧力センサユニット３０１とレベルセンサユニット３０２は、図５に示す圧力センサ５５ａ〜５５ｆと、レベルセンサ５６を備える。漏れ検出部３０３は、圧力センサ５５ａ〜５５ｆおよびレベルセンサ５６からの検出信号に基づいて、上記の如く、冷却液の漏洩を検出し、検出結果を中央制御部３０４に送る。
【００４５】
冷却ユニット制御部３０５は、中央制御部３０４からの指令に応じて、冷却ユニット５０を制御する。光源ユニット制御部３０６は、中央制御部３０４からの指令に応じて、光源部２１、２４、２７を制御する。パネルユニット制御部３０７は、中央制御部３０４からの指令に応じて、液晶パネル２３、２６、２９を駆動制御する。
【００４６】
電源制御部３０８は、電源端子から入力されたＡＣ電圧を、中央制御部３０４からの指令に応じて各部に分配する。表示部３０９は、中央制御部３０４からの指令に応じて、ディスプレイ部に情報を表示する。
【００４７】
冷却水の漏洩が発生すると、その検出信号が漏れ検出部３０３から中央制御部３０４に入力される。これに応じて、中央制御部３０４は、冷却ユニット３０５、光源部２１、２４、２７および液晶パネル２３、２６、２９をＯＦＦに設定するとともに、電源制御部３０８に対し、各部への電圧供給を遮断する旨の制御指令を出力する。これにより、プロジェクタの動作が停止され、安全性が担保される。なお、このとき、表示部３０９に、冷却水漏れが発生した旨を表示させても良く、併せて、冷却水漏れが生じた箇所を表示させても良い。
【００４８】
以上、本実施の形態によれば、図１に示す如く、冷却ユニット５０が収容される領域Ｒ３が、光学ユニット１０および電気回路ユニット４０がそれぞれ収容される領域Ｒ１、Ｒ２に対し、壁（間仕切り）によって区切られているため、冷却ユニット５０に損傷等が生じて冷却液が飛散し、または、漏れ出しても、光学ユニット１０および電気回路ユニット４０に到達することはない。
【００４９】
また、図２に示す如く、光源部２１、２４、２７の各冷却構造と冷却ユニット５０の間の配管５３は、全て、底面側の領域Ｒ４を通るため、配管５３に損傷等が生じても、飛散しまたは漏れ出した冷却液が光学ユニット１０の電気系統部分（光源部２１、２４、２７、液晶パネル２３、２６、２９等）や電気回路ユニット４０に浸入することはない。
【００５０】
なお、図２に示す如く、冷却ユニット５０の下には、液受け５４が配されているため、万一、冷却ユニット５０から冷却液が漏れ出しても、冷却液の拡散が未然に防止される。
【００５１】
また、電気回路ユニット４０からの配線７０は、図２に示す如く、配管５３の敷設ルートから完全に分離された最上段の領域を通るため、配管５３等に破損が生じても漏れ出した冷却水が配線７０に接触する惧れはない。
【００５２】
このように本実施の形態によれば、万一、冷却ユニット５０や配管５３から冷却液が漏洩しても、漏洩した冷却液が光学ユニット２０や電気回路ユニット４０、配線７０に到達することはなく、漏洩した冷却液によって安全性における問題（電気ショート等）が発生することもない。さらに、冷却液の漏洩に応じてプロジェクタが停止されるため、安全性が担保される。
【００５３】
よって、本実施の形態によれば、冷却液を用いることによる冷却効率の向上と、冷却液の漏洩に対する安全性の確保とを両立させ得るプロジェクタを提供することができる。
【００５４】
＜他の実施形態＞
上記実施の形態では、光学ユニット２０、電気回路ユニット４０および冷却ユニット５０を平面状に配置したが、ここでは、これらを鉛直方向に配置するときの構成例を示す。
【００５５】
図７（ａ）は本構成例に係るプロジェクタを左側面側から見たときの要部透視図、図７（ｂ）はキャビネット最上段部分の要部上面図である。
【００５６】
キャビネット１０は、上面と下面が開放された有底の箱形状となっており、上面側の空間は、別途２つの板体６３、６４を装着することにより３つの領域Ｒ１、Ｒ２、Ｒ３に仕切られている。これら３つの領域のうち、上段と中段の領域Ｒ１、Ｒ２に、それぞれ、光学ユニット２０と電気回路ユニット４０が収容され、下段の領域Ｒ３に冷却ユニット５０が収容される。
【００５７】
冷却ユニット５０からの配管５３は、上記実施の形態と同じく下面側の領域Ｒ４へと導かれ、そこで分岐された後、キャビネット１０の側面に形成された孔から外部へと導かれる。その後、各配管５３は、キャビネット１０の側面に沿って上段まで伸ばされ、上段側面の光源部２１、２４、２７近傍位置に形成された孔を通って、光源部２１、２４、２７の冷却構造に連結される。キャビネット１０の側面には、配管５３を覆うようにしてカバー８０が装着される。
【００５８】
板体６３には、所定の位置に開口６３ａが形成され、この開口６３ａを介して電気回路ユニット４０からの配線７０が光学ユニット２０に導かれて光源部２１、２４、２７や液晶パネル２３、２６、２９等に接続される。また、板体６４には、所定の位置に開口６４ａが形成され、この開口６４ａを介して電気回路ユニット４０からの配線７０が冷却ユニット５０に導かれてポンプ５２等に接続される。ここで、開口６３ａには、万一、領域Ｒ１内にて冷却液が漏洩しても、冷却液が開口６３ａから電気回路ユニット４０に流れ込まないよう、その周縁に、上方に突出した壁が形成されている。
【００５９】
なお、板体６３、６４の周縁は、万一、冷却液が漏洩しても冷却液が下段側に浸入しないよう、キャビネット１０の内側面に密接に接触しているのが望ましく、さらには、板体６３、６４の周縁とキャビネット１０の内側面との間に、冷却液の浸入を防止するためのパッキン等を配すると良い。
【００６０】
本構成例によれば、冷却ユニット５０が収容される領域Ｒ３が、電気回路ユニット４０が収容される領域Ｒ２に対し、板体５０によって区切られているため、冷却ユニット５０に損傷等が生じて冷却液が飛散しても、冷却液が電気回路ユニット４０に到達することはない。
【００６１】
また、光源部２１、２４、２７の各冷却構造と冷却ユニット５０の間の配管５３は、全て、領域Ｒ４とキャビネット１０の側面を通るため、配管５３に損傷等が生じても、飛散しまたは漏れ出した冷却液が光学ユニット１０の電気系統部分（光源部２１、２４、２７、液晶パネル２３、２６、２９等）や電気回路ユニット４０に浸入することはない。
【００６２】
さらに、上記実施の形態と同様、冷却ユニット５０の下に、液受け５４が配されているため、万一、冷却ユニット５０から冷却液が漏れ出しても、冷却液が拡散することはない。
【００６３】
また、電気回路ユニット４０からの配線７０は、配管５３の敷設ルートから完全に分離された領域を通るため、配管５３等に破損が生じても漏れ出した冷却水が配線７０に接触する惧れはない。
【００６４】
このように本構成例によれば、万一、冷却ユニット５０や配管５３から冷却液が漏洩しても、漏洩した冷却液が光学ユニット２０や電気回路ユニット４０、配線７０に到達することはなく、漏洩した冷却液によって安全性における問題（電気ショート等）が発生することもない。
【００６５】
なお、本構成例では、光学ユニット２０を上段に、電気回路ユニット４０を中段に配置したが、図８に示す如く、光学ユニット２０を中段に、電気回路ユニット４０を上段に配置するようにしても良い。こうすると、冷却ユニット５０から飛散した冷却液が電気回路ユニット４０に到達する可能性をさらに低減させることができる。
【００６６】
以上、本発明に係る実施の形態について説明したが、本発明は上記実施の形態に制限されるものではなく、また、本発明の実施形態も上記の他に種々の変更が可能である。
【００６７】
たとえば、光学ユニットの光学系は、適宜、上記以外の構成とすることができる。また、本発明は、半導体レーザやレーザダイオードを発光源とするものの他、ランプを発光源とする場合にも適用可能である。
【００６８】
また、上記では、光変調素子として透過型の液晶パネルを用いたが、本発明は、光変調素子としてＤＭＤ(デジタル・マイクロミラー・デバイス)等を用いる場合にも適宜適用可能である。さらに、上記では、冷却液の漏れを検出するために圧力センサ５５ａ〜５５ｆを用いたが、流量センサを用いて冷却液の漏れを検出するようにしても良い。
【００６９】
本発明の実施の形態は、特許請求の範囲に示された技術的思想の範囲内において、適宜、種々の変更が可能である。
【図面の簡単な説明】
【００７０】
【図１】実施の形態に係るプロジェクタの構成を示す図
【図２】実施の形態に係るプロジェクタの構成を示す図
【図３】実施の形態に係る光源部の構成を示す図
【図４】実施の形態に係る冷却部材の構成を示す図
【図５】実施の形態に係る冷却ユニットと光源部の間の配管状態を示す図
【図６】実施の形態に係るプロジェクタの機能ブロック図
【図７】実施の形態に係るプロジェクタの他の構成例を示す図
【図８】実施の形態に係るプロジェクタの他の構成例を示す図
【符号の説明】
【００７１】
１０  …  キャビネット
２０  …  光学ユニット
４０  …  電源回路ユニット
５０  …  冷却ユニット
５３  …  配管
５４  …  液受け
５５ａ〜５５ｆ  …  圧力センサ
５６  …  レベルセンサ
７０  …  配線
１０３  …  冷却部材
２００  …  冷却部材  
【図１】
0005180525.tif 000002
【図２】
0005180525.tif 000003
【図３】
0005180525.tif 000004
【図４】
0005180525.tif 000005
【図５】
0005180525.tif 000006
【図６】
0005180525.tif 000007
【図７】
0005180525.tif 000008
【図８】
0005180525.tif 000009